(57)【特許請求の範囲】
【請求項１】
風呂水が流通する通水路を有し、該通水路のいずれかの箇所に脱臭剤、殺菌剤、ポリカルボン酸系分散剤及びポリエチレングリコール化合物から選ばれる水溶性の分散剤並びに水溶性のキレート剤が充填されたカートリッジが配されている、一端が洗濯機に取り付けられた給水ホースにおける、他端に取り付けられて用いられる風呂水浄化装置。
【請求項２】
前記脱臭剤が水不溶性脱臭剤である請求項１記載の風呂水浄化装置。
【請求項３】
前記脱臭剤が（ａ）キチン、キトサン若しくはこれらの誘導体、（ｂ）水不溶性タンニン誘導体、又は（ｃ）スチレン骨格若しくはジビニルベンゼン骨格を有するポリマーの少なくとも一種である請求項１又は２記載の風呂水浄化装置。
【請求項４】
前記殺菌剤がカチオン系殺菌剤、無機金属イオン系殺菌剤、又は過酸素系化合物の少なくとも一種である請求項１〜３の何れかに記載の風呂水浄化装置。
【請求項５】
前記キレート剤がクエン酸又はその塩である請求項１〜４の何れかに記載の風呂水浄化装置。
【請求項６】
カートリッジ内において、前記脱臭剤と前記殺菌剤とは濾材によって別個に仕切られて配され、かつ該脱臭剤が風呂水の取水口側に配されており、
前記分散剤及び前記キレート剤は、前記殺菌剤と混合されて錠剤状に成形されているか、又は
前記分散剤及び前記キレート剤は、前記脱臭剤及び前記殺菌剤の層間に、それぞれ別個に又は両者が混合された状態で配されている請求項１〜５の何れかに記載の風呂水浄化装置。
【発明の詳細な説明】
【０００１】
【発明の属する技術分野】
本発明は、風呂水を浄化して洗濯に用いる際に用いられる風呂水浄化装置及び洗濯方法に関する。
【０００２】
【従来の技術及び発明が解決しようとする課題】
従来より風呂の残り湯等の残水を洗濯用水として再利用して節水を図ることが知られている。特に風呂水の場合、残り湯の水温が高いために洗浄性能が向上することも知られている。洗濯に風呂水を利用する際には、風呂水を洗濯機の槽へ移し入れる吸水ポンプユニットが用いられている。近年、洗濯機も節水性を向上させたものが主流となっており、その中でも風呂水を有効に且つ簡便に使用するために、洗濯機本体に吸水ポンプを内蔵した洗濯機が提案されており、ますます風呂水が洗濯に使用されることが多くなってきている。水道水の代わりに風呂水を利用した場合には、再使用する風呂水に人体の垢や髪の毛等の汚れ成分がある為、給水ポンプの吸水部には何らかのフィルターがつけられる場合が多い。
【０００３】
ところで、風呂の残り湯は、節水及び洗浄性向上等の利点があるにもかかわらず、前記汚れ成分、放置・腐敗により発生した臭いの不快感、及び雑菌の発生等による清潔感の低下を理由として使用されない場合が多い。また、使用している場合でも、給水部のフィルターや給水ホースに前記汚れ成分、腐敗物、及び臭い等が付着し、不愉快なまま使用してる場合も多い。
【０００４】
風呂の残り湯を浄化する技術としては、例えば、特開平８−２６６７８５号公報に記載の技術が知られている。この技術は、基端部が洗濯機の吸水ポンプに接続された給水ホースの先端部に、活性炭フィルターを備えたフィルター装置を取り付け、該フィルター装置を浴槽内の風呂水に浸漬して、吸水ポンプを作動させて風呂水を吸引し、活性炭フィルターで汚れを吸着して、浄化された風呂水を洗濯機の洗濯槽に供給するものである。しかし、この技術は、活性炭フィルターで風呂水の汚れを吸着除去するのみであるので、風呂水の殺菌やフィルターについた汚れの腐敗を防止することはできない。更に、腐敗の原因となる身体の垢等の汚れ成分が、フィルターや給水ホース等に付着することを防ぐことができないので、清潔さを保つことが出来ない。
【０００５】
風呂の残り湯を浄化する別の技術として、特開平９−７５６３５号公報に記載の技術が知られている。この技術は、洗濯機で風呂水を使用するに際して、抗菌性及び防カビ性の繊維を混紡したカートリッジフィルター材を用いるものである。しかし、この技術では、フィルターの腐敗を防止することはできるが、風呂水の殺菌や脱臭を行うことはできない。
【０００６】
従って、本発明は、風呂水を洗濯水として用いるに際して、その殺菌及び脱臭を行い得る風呂水浄化装置を提供することを目的とする。
また本発明は、洗濯槽内の壁や衣類への汚れ成分の付着が防止され、雑菌及び悪臭の発生が防止された風呂水浄化装置を提供することを目的とする。
また本発明は、給水ホースへの汚れ成分の付着が防止され、雑菌及び悪臭の発生が防止された風呂水浄化装置を提供することを目的とする。
【０００７】
【課題を解決するための手段】
本発明は、風呂水が流通する通水路を有し、該通水路のいずれかの箇所に脱臭剤及び殺菌剤が充填されたカートリッジが配されている風呂水浄化装置を提供することにより前記目的を達成したものである。
【０００８】
また本発明は、風呂水に脱臭剤及び殺菌剤を施用し、該施用水を洗濯槽に取水して洗剤を加えて洗濯物を洗濯する洗濯方法を提供するものである。
【０００９】
【発明の実施の形態】
以下、本発明をその好ましい実施形態に基づき、図面を参照しながら説明する。図１には、本発明の風呂水浄化装置（以下、単に浄化装置ともいう）の第１実施形態の模式図が示されている
【００１０】
図１に示す浄化装置１は円筒状のケース２を有している。ケース２内には、風呂水が流通する通水路３が形成されている。通水路３内にはカートリッジ５が取り出し可能に配されている。カートリッジ５内には脱臭剤及び殺菌剤４が充填されている。カートリッジ５は円筒型であり、効果持続性の観点から脱臭剤及び殺菌剤４が不織布に袋入されており、その上下が通水性の不織布等の濾材で構成されている。ケース２は、カートリッジ５の装着スペースを有する本体２０と、本体２０に螺着されるキャップ２１とから構成されている。本体２０の上部には、給水ホースの装着部２０ａが設けられている。本体２０の内部はメッシュ状の通水孔２０ｂを有する内壁部２０ｃで仕切られている。キャップ２１の底面部２１ａにも同様のメッシュ状の通水孔２１ｂが設けられている。
【００１１】
カートリッジ５の下方には、通水孔２０ｂ、２１ｂよりもさらに細目のメッシュ状のフィルター６及びスポンジ製フィルター７が配設されている。これらのフィルターによって、不純物、例えば泥、酸化鉄等の無機浮遊物、毛髪等の浮遊物等が除去される。特にスポンジ製フィルター７を適切なメッシュと厚みに調整することで、毛髪等の風呂水に混入しているゴミを予め効率的に除去できる。
【００１２】
カートリッジ５内において、脱臭剤と殺菌剤とは、不織布等の濾材によって別個に仕切られて配されている。特に、脱臭剤が風呂水の取水口側に配され、殺菌剤が洗濯機の洗濯槽側に配されることが、殺菌剤によって脱臭剤の効果が阻害されたり、風呂水中の臭い成分が殺菌剤の効果を弱めることを防止する点から好ましい。しかし、脱臭剤及び／又は殺菌剤の種類、性状、及び剤型によっては両者を混合して用いてもよい。
【００１３】
脱臭剤は、風呂水中に混入する人体の垢、汗、排泄物、それらの腐敗による酸性臭やアンモニア臭、及び風呂場等のカビ臭を除去するものである。脱臭剤の種類に特に制限はないが、臭いを吸着後の脱臭剤が風呂水に溶解して洗濯時の汚れの原因になることを防止する点、及び洗浄条件によっては再度臭いを発生しないようにする点から、水不溶性脱臭剤を用いることが好ましい。
【００１４】
脱臭剤としては、（１）人体の垢等が酸化分解して生成する酸性臭の脱臭剤として、キチン、キトサン又はこれらの誘導体、アニオン交換体、活性炭、ゼオライト等がある。（２）汗や排泄物に含まれるアンモニア臭の脱臭剤としては、タンニン又はこれらの誘導体、アルギン酸又はこれらの誘導体、カチオン交換体、活性炭等がある。（３）ジオスミンや２−メチルイソボルネオールが原因物質とされるカビ臭の脱臭剤としては、スチレン骨格又はジビニルベンゼン骨格を有するポリマー、活性炭等がある。これらの脱臭剤は一種又は二種以上を組み合わせて用いることができる。特に、（ａ）キチン、キトサン若しくはこれらの誘導体、（ｂ）水不溶性タンニン誘導体、又は（ｃ）スチレン骨格若しくはジビニルベンゼン骨格を有するポリマーの少なくとも一種、とりわけこれら三者の組み合わせを用いることが、すべての臭いに対応でき、それぞれの成分が他の臭いによって影響されず効果を発揮し得る点、及び従来用いられてきた活性炭よりも少ない使用量で同等又はそれ以上の消臭効果を発揮し得る点から好ましい。（ａ）成分のキチン、キトサン及びこれらの誘導体は、その構成成分であるグルコサミンが酸臭の原因となる脂肪酸と反応し消臭効果を発揮する。（ｂ）成分の水不溶性タンニンは、その構成成分であるフェノール性水酸基がアンモニアと反応し消臭効果を発揮する。（ｃ）成分のスチレン骨格若しくはジビニルベンエン骨格を有するポリマーは、カビ臭の原因となるジオスミンや２−メチルイソポルネオール等を吸着し消臭効果を発揮する。
【００１５】
キチン、キトサンの誘導体には、分子内にあるアミノ基又は水酸基が、アシル化反応、エーテル化反応、エステル化反応、その他反応によって化学修飾された誘導体であるアセチル化物、ヒドロキシエチル化物、ヒドロキシプロピル化物、硫酸化物、硝酸化物、燐酸化物等が挙げられる。
【００１６】
アニオン交換体及びカチオン交換体などのイオン交換体としては、公知のものが特に限定されることなく用いられる。例えばポリスチレン、ポリビニルアルコール、ポリアクリル酸、ポリアミド、ポリフェノール、ポリエチレン、セルローズなどに、カチオン交換体の場合には、カチオン交換基として、スルホン酸基、ホスホン酸基、アミノカルボン酸基、カルボン酸基などを導入したカチオン交換樹脂又はカチオン交換繊維が好ましく用いられる。アニオン交換体の場合には、アニオン交換基として、トリメチルアミン基、ジメチルアミン基、ジメチル−ヒドロキシエチルアミン基などを導入したアニオン交換樹脂又はアニオン交換繊維が好ましく用いられる。これらのイオン交換体は、イオン交換樹脂又はイオン交換繊維として通常用いられる形態、例えば粒状、繊維状等の形態で用いることができる。
【００１７】
活性炭としては、粒状活性炭、活性炭素繊維等が挙げられる。
【００１８】
ゼオライトとしては、以下の式で示されるものが用いられる。
x(M2O)・Al2O3・y(SiO2)・z(H2O)
（式中、Ｍはナトリウムやカリウム等のアルカリ金属を表す。ｘ、ｙ、ｚは各成分のモル数を表し、一般的には、０．７≦ｘ≦１．５、０．８≦ｙ≦６、ｚは任意の定数である。）
ゼオライトとしては、平均粒子径が０．１〜１０μｍの合成ゼオライトが好ましく用いられる。ゼオライトは、粉末としても又はゼオライト粉末を含むゼオライトスラリーを乾燥して得られるゼオライト凝集乾燥粒子として用いることも出来る。またゼオライトを、シリカや粘土鉱物等の造粒助剤と混練して所定の粒度（例えば、平均粒径０．１〜５ｍｍ）に造粒し、溶融による特性が低下しない温度（例えば７００℃以下）で焼成して用いることもできる。
【００１９】
タンニン又はこれらの誘導体のうち、不溶性タンニン誘導体としては、タンニン酸金属キレート、水不溶性の多糖類誘導体とタンニン成分とよりなるタンニン誘導体等がある。用いられるタンニン成分としては、タンニン、活性化タンニン又はタンニンのアミノ誘導体若しくはカルボキシル誘導体等がある。金属キレートを形成する金属としては、例えば鉄、アルミニウム、チタン、マグネシウム、カルシウムなどが好ましい。
【００２０】
アルギン酸又はこれらの誘導体のうち、不溶性アルギン酸誘導体としては、各種藻類より抽出精製されたアルギン酸、又はこれらのエステル誘導体の金属キレートがある。金属キレートを形成する金属としては、例えば鉄、アルミニウム、チタン、マグネシウム、カルシウムなどが好ましい。
【００２１】
スチレン骨格又はジビニルベンゼン骨格を有するポリマーとしては、スチレン又はジビニルベンゼンを骨格としている市販のポリマーが挙げられる。具体的には、アンバーライトＸＡＤ−２，４〔商品名、オルガノ（株）製〕、ＴＩＮ１００〔商品名、東レ（株）製〕等がある。
【００２２】
殺菌剤は、風呂水中に混入する人体の垢、汗、排泄物、及び風呂場等の汚れが原因で繁殖した細菌やカビ類を殺し、またフィルターや給水ホースに付着した汚れ成分に細菌やカビ類が繁殖することを抑制するために用いられる。殺菌剤の種類に特に制限はないが、風呂水の給水時に殺菌剤が所定量徐放され、フィルターや給水ホースの除菌が行われ、同時に洗濯水として用いられる風呂水も除菌されるものであることが好ましい。このような作用を有する殺菌剤としては、カチオン系殺菌剤、無機金属イオン系殺菌剤、過酸素系化合物等がある。
【００２３】
カチオン系殺菌剤としては、塩化ベンゼトニウム、塩化ベンザルコニウム、ジアルキルジメチルアンモニウムハライド、モノアルキルトリメチルアンモニウムハライド又はこれらの殺菌剤の対イオンが他のアニオンに変換されたカチオン界面活性剤系殺菌剤；クロルヘキシジン、グルコン酸クロロヘキシジン等のビグアナイド系殺菌剤；アルキルジアミノエチルグリシン、アルキルポリアミノエチルグリシン等のアミノ酸系界面活性剤等が挙げられる。
【００２４】
無機金属イオン系殺菌剤としては、重金属イオンが担持された殺菌剤（重金属イオン担持殺菌剤）が好ましく用いられる。重金属イオン担持殺菌剤としては、有効成分である重金属イオンが安定に保持される担持体が必要とされる。担持体としては、結晶性アルミノケイ酸塩（ゼオライト）、活性炭、グラファイト、リン酸ジルコニウム、チタン酸カリウム、結晶性リン酸アルミニウム、モンモリロナイト、セピオライト、β−アルミナ、ヒドロキシアパタイト等の無機物質、スルホン基、カルボキシル基、フェノール性水酸基、アミノ基、第４級アンモニウム基含有のイオン交換体が挙げられる。重金属イオンとしては、銀イオン、銅イオン、亜鉛イオンが挙げられる。特に、衣類を洗う洗濯水用としては銀イオンが好ましい。
【００２５】
過酸素系化合物としては、水と接触して過酸化水素を生じるあらゆる化合物を用いることができる。例えば、過炭酸塩、過珪酸塩、過硫酸塩、過硼酸塩、ジペルオキシドデカン酸のようなペルオキシ酸、過フタル酸マグネシウム及びそれらの混合物が挙げられる。
【００２６】
これら各種殺菌剤のうち、洗濯水中に混入しても衣類等に影響がなく、洗浄剤の成分の特性に影響を与えず、また水に溶解性が良い点から塩化物系のカチオン系殺菌剤を用いることが好ましい。また、衣類に付着してもあまり影響のない銀イオン系の金属イオン系殺菌剤を用いることも好ましい。更に、漂白効果もあり、洗浄剤成分としても添加されるアルカリ金属系の過酸素系化合物を用いることも好ましい。
【００２７】
本発明においては、前述の脱臭剤及び殺菌剤に加えて、汚れ成分の分散剤及び／又はキレート剤を用いることが好ましい。これらの剤を用いることによって、風呂水中に含まれる汚れ成分が均一に分散され、フィルターや給水ホースへの汚れ成分の付着が防止され、更に付加的に、衣類や洗濯槽への付着が防止されて洗濯時の負荷が少なくなる。
【００２８】
分散剤としては、風呂水中に徐放されて、汚れ成分に付着し且つ水を軟化することにより、汚れ成分中の脂肪酸等がカルシウムイオンやマグネシウムイオンによって不安定になることを防ぐ作用のあるものが用いられる。そのような作用のある分散剤としては、ポリカルボン酸系分散剤、例えば、ソカランＣＰ７（ＢＡＳＦ社製、分子量約５万）が挙げられる。また、その構造の特性によって水中での汚れ成分の付着を防ぎ遊離し易くする効果のある分散剤であるメチルセルローズ、ヒドロキシセルローズで代表されるセルロース誘導体、ポリエチレングリコール化合物（一般的に分子量が好ましくは約１０００〜約４００００、更に好ましくは約３０００〜約１００００）並びにそのエーテル及びエステル誘導体、エトキシル化テトラエチレンペンタミンで代表される水溶性エトキシル化ポリアミン等が挙げられる。特に好ましく用いられる分散剤は、洗濯水の中に混入しても洗浄性能に悪い影響を与えず、洗浄剤成分としても使用されている点から、ポリカルボン酸系分散剤及びポリエチレングリコール化合物である。
【００２９】
キレート剤としては、風呂水中に徐放されて、風呂水中に含まれる金属イオンを水可溶性キレートにして汚れ成分の付着や不安定化を防ぐ作用のあるものが用いられる。そのような作用のあるキレート剤としては、アミノトリ（メチレンホスホン酸）、１−ヒドロキシエチリデン−１−ジホスホン酸）、エチレンジアミンテトラ（メチレンホスホン酸）、ジエチレントリアミンペンタ（メチレンホスホン酸）、及びそれらの塩、２−ホスホノカルボン酸の塩、アスパラギン酸、グルタミン酸等のアミノ酸の塩、ニトリロ三酢酸塩、エチレンジアミン四酢酸塩等のアミノポリ酢酸塩等の有機酸塩、クエン酸及びその塩、ピロ−及びトリリン酸塩等が挙げられる。特に好ましく用いられるキレート剤は、環境に対する影響が少なく、洗浄剤成分としても用いられている点から、クエン酸及びその塩である。
【００３０】
本発明においては、脱臭剤及び殺菌剤、並びに必要に応じて用いられる分散剤及びキレート剤は、これらが水溶性の場合、通水性及びこれらの剤の効果を十分に発現させる点から、浄化後の風呂水に、各剤が１〜５００ｍｇ／ｋｇ、特に５〜２５０ｍｇ／ｋｇ含まれるように用いられることが好ましい。
【００３１】
脱臭剤及び殺菌剤、並びに必要に応じて用いられる分散剤及びキレート剤は、粒状、粉末状、膜状、繊維状、ワックス状、ゲル状、カプセル状等の形態として用いられる。例えば脱臭剤として不溶性脱臭剤を用いる場合には、通水性及び臭いの除去性の点から、その平均粒径が、２〜５００メッシュ（ＪＩＳ  Ｌ０２０８、以下同じ。）であることが好ましく、２０〜２００メッシュであることがより好ましい。これらの剤は、それぞれ別個に所定形状となしてもよく、或いは二種以上の剤を混合して所定形状となしてもよい。更には二種以上の剤を積層したり、一の剤を担持体として用い、他の剤をこれに担持させてもよい。
【００３２】
特に、分散剤及びキレート剤を併用する場合には、これらの剤は、例えば殺菌剤と混合されて錠剤状に成形されて用いられることが好ましい（後述する実施例３参照）。また、脱臭剤及び殺菌剤の層間に、分散剤及びキレート剤がそれぞれ別個に又は両者が混合された状態で配されることも好ましい（後述する実施例２参照）。
【００３３】
前述した各剤に加えて、本発明においては、酵素、酸化防止剤、漂白剤、蛍光染料、青味付剤、柔軟材、香料等を、目的に応じて配合させることもできる。
【００３４】
本実施形態の風呂水浄化装置によれば、風呂水が洗濯槽内に注入される前に風呂水中の臭い成分が脱臭され、また殺菌剤の所定量の徐放により殺菌効果が発揮される。更に、必要に応じて用いられる分散剤及び／又はキレート剤の徐放によって、風呂水中の微量の皮脂等の汚れ成分が、洗濯槽内の壁や衣類に付着することが効果的に防止され、更には、給水ホースへの汚れ成分の付着も防止される。
【００３５】
次に、本発明の洗濯方法を、その好ましい実施形態として前述の浄化装置を用いた実施形態に基づいて図２を参照しながら説明する。
【００３６】
本発明の洗濯方法は、風呂水に脱臭剤及び殺菌剤、並びに必要に応じて分散剤及び／又はキレート剤を施用し、該施用水を洗濯槽に取水して洗剤を加えて洗濯物を洗濯する方法である。
【００３７】
図２は、前述の浄化装置の使用形態を示したものである。浄化装置１は、吸水ポンプ（図示せず）を備えた洗濯機８及び給水ホース９と共に用いられる。給水ホース９は、その一端９０が洗濯機８の吸引ポンプに取り付けられている。そして、給水ホース９の他端９１に洗浄装置１が取り付けられている。
【００３８】
そして、浴槽１０内の風呂水１１中に浄化装置１を沈めて、風呂水１１を吸水ポンプで吸引し、浄化装置１を通じて洗濯機８の洗濯槽（図示せず）内に供給する。
【００３９】
風呂水１１が浄化装置１の通水路を通過する際に風呂水１１の脱臭と殺菌が行われ、更には微細な汚れも安定的に分散される。そして、汚れた洗濯物を洗濯槽に投入して洗濯用水に浸漬し、洗剤を投入して洗濯を行う。浄化装置１による浄水効果が得られなくなった場合には、浄化装置１からカートリッジを取り外し、該カートリッジ内に新しい脱臭剤等を充填し、カートリッジを再装填することにより、浄化装置１を繰り返し使用できる。
【００４０】
このように、本実施形態の洗濯方法によれば、風呂水に脱臭剤及び殺菌剤、並びに必要に応じて分散剤及び／又はキレート剤を施用することで、風呂水のいやな臭いの除去や除菌が行われ、更には混入している微細な汚れが洗濯時の衣類に付着することが防止されて、快適な洗濯が出来るようになる。
【００４１】
次に、本発明の風呂水浄化装置の第２及び第３実施形態を図３及び図４をそれぞれ参照して説明する。なお、同図において、図１と共通する部分については同一符号を付してその説明を省略する。従って、特に説明のない部分は、図１に示す実施形態の浄化装置における説明が適宜適用される。
【００４２】
図３に示す第２実施形態の浄化装置１'は、洗濯機の外部給水管路の開口端部（図示せず）に装着されて使用されるものである。同図に示すように、浄化装置１'は、円筒状のケース２'を有している。ケース２'内には通水路３'が設けられている。ケース２'は、カートリッジ５の充填スペースを有する本体２０'と、本体２０'に螺着されるキャップ２１'とから構成されている。本体２０'の下部には、前記洗濯機の外部給水管路の開口端部に挿嵌される装着部２０ａ'が設けられている。また、本体２０'の内部はメッシュ状の通水孔２０ｂ'を有する内壁２０ｃ'で仕切られている。キャップ２１'の上部には、給水ホースの装着部２１ａ'が設けられている。カートリッジ５の上方には、通水孔２０ｂ'よりもさらに細目のメッシュ状のフィルター６が配設されており、これによって風呂水に含まれるゴミ等を予め除去できるようになしてある。
【００４３】
本実施形態の風呂水浄化装置においても第１の実施形態の効果と同様の効果が奏される。但し、本実施形態では、給水ホース内の汚れ成分の付着防止や殺菌効果は発揮されない点が第１の実施形態と異なる。
【００４４】
図４に示す第３実施形態の浄化装置１"は、浴槽内の風呂水中に浮遊又は浸漬させて使用されるものである。浄化装置１"は、円筒状のケース２"を有している。ケース２"は、カートリッジ５の充填スペースを有する本体２０"と、本体２０"に螺着させるキャップ２１"とから構成されている。本体２０"の下部には、浄化装置１"を風呂水中に浮遊又は浸漬させるためのおもり２０ｄ"が配設されている。おもり２０ｄ"には、例えば鉄片等の金属片を用いることができる。本体２０"の側面部にはメッシュ状の通水孔２０ｂ"が多数設けられている。本体２０"の天面部にも同様の通水孔２１ｂ"が多数設けられている。これら側面部及び天面部に設けられた通水孔２０ｂ"，２１ｂ"の孔径は、風呂水の拡散を容易にする点、及び脱臭剤及び殺菌剤が充填された不織布の形態を保持する点から、０．１〜２０ｍｍ、特に０．５〜１０ｍｍであることが好ましい。また、側面部及び天面部に設けられた通水孔２０ｂ"，２１ｂ"の開孔率は、風呂水の拡散面積を確保する点から、側面部及び点面部の表面積の合計値の１〜９０％、特に５〜５０％であることが好ましい。
【００４５】
本実施形態の浄化装置１"は、浴槽の風呂水に所定時間浮遊又は浸漬させて用いられる。浄化装置１"を風呂水内に浮遊又は浸漬させると、風呂水は通水孔２０ｂ"，２１ｂ"を通じて浄化装置１"のカートリッジ５に浸透し、脱臭剤及び殺菌剤、並びに必要に応じて用いられる分散剤及び／又はキレート剤によって風呂水が浄化される。その後浄化した風呂水を洗濯機の浴槽に供給して洗濯を行う。
【００４６】
本発明は、上記実施形態に限定されない。例えば、本発明の風呂水浄化装置は、前述のように、吸水ポンプを備えた洗濯機における該吸水ポンプに通じる給水ホースに装着されて用いられることが好ましいが、一端が洗濯機の吸水ポンプに取り付けられた給水ホースにおける他端に、既にゴミや毛髪等の汚れを除去する目的でフィルター装置が装着されている場合には、該フィルター装置の先端側に本発明の風呂水浄化装置を取り付けて用いる事もできる。また、洗濯機と独立した風呂水の汲み上げ用ポンプ装置の給水路に介装させて用いることもできる。
【００４７】
【実施例】
以下、本発明を実施例によりさらに具体的に説明する。
【００４８】
〔実施例１並びに比較例１及び２〕
脱臭剤及び殺菌剤を、上下が通水性の不織布（材料：ポリエステル繊維３デニール×５０ｍｍ、目付２５ｇ／ｍ2）からなる円筒形カートリッジに充填した。脱臭剤及び殺菌剤は前記不織布の濾材によって互いに隔離させて用いた。脱臭剤は風呂水の取水口側に配し、殺菌剤は洗濯機側に配した。カートリッジを図１に示す浄化装置内に装填した。浄化装置のカートリッジ充填スペースは、内径６ｃｍ、長さ８ｃｍであった。
【００４９】
脱臭剤は以下の三者を以下に示す重量で均一に混ぜたものを用いた。
・キトサン〔ＳＫ−４００、４〜１０メッシュ、甲陽ケミカル（株）社製〕１１ｇ
・活性炭〔粒度１．７〜０．５ｍｍ：ツルミコールＧＬ−３０、ツルミコール（株）社製〕２ｇ
・スチレン−ジビニルベンゼンコポリマー（アンバーライトＸＡＤ−２、オルガノ（株）社製）２ｇ
【００５０】
殺菌剤は以下の二者を以下に示す重量で均一に混ぜ、０．５ｔ／ｃｍ2のプレス圧で成形して、直径４５ｍｍの円柱形の錠剤となし、これを前記不織布にて袋入りにしたものを用いた。
・塩化ベンザルコニウム〔サニゾールＣ、花王（株）製〕１５ｇ
・ポリオキシエチレンモノステアレート〔錠剤化のための固め剤として使用：エマノーン３１９９、花王（株）製〕５ｇ
【００５１】
このようにして得られた浄化装置を、一端が吸引ポンプに通じる給水ホース（内径１６ｍｍ×長さ５ｍ、塩化ビニル製）の他端に取り付け、以下のように調製した風呂水を８リットル／分で通水した。通水方法は、１日１回５０リットル通水し、浄化装置と吸引ポンプに通じる給水ホースを自然水切り後、取り外し、３０℃・８０％ＲＨの条件下で２４時間保存する。この操作を１、１０、３０回行ったときの風呂水の臭い、風呂水１ｍｌ中の生菌数、カートリッジ側ホース口の臭い、風呂水中の殺菌剤の濃度を以下の方法で測定・評価した。また３０回操作後の給水ホースに付着した皮脂質分を以下の方法で測定した。
【００５２】
比較例１として脱臭剤及び殺菌剤のみを除いたカートリッジを浄化装置内に装填して、前記と同様の操作、測定・評価を行った。比較例２として殺菌剤を除いて、脱臭剤のみをカートリッジに装填して、前記と同様の操作、測定・評価を行った。これらの結果を以下の表１に示す。
【００５３】
＜風呂水の調製＞
循環型風呂水給湯器付き浴槽で２００リットルの水道水を４０℃に沸かした後、３７〜４０℃の間で３０代の夫婦、男子小学生、及び女子幼稚園児の家族４人を入浴させた後、風呂水を自然冷却で１２時間放置し、水温を２５℃にした。この風呂水は皮脂量が５±１ｍｇ／５０リットルであった。
【００５４】
＜風呂水の臭い、及びカートリッジ側ホース口の臭いの評価＞
男女各１０人のモニターを対象に、以下の基準で風呂水の臭い及びホース口の臭いを評価した。
０：無臭
１：やっと感知できる臭い
２：何の臭いであるかわかる弱い臭い
３：楽に感知できる臭い
４：強い臭い
５：強烈な臭い
【００５５】
＜風呂水１ｍｌ中の生菌数の測定＞
風呂水１ｍｌを定法によって寒天培地に接種し、肉眼による菌エリア数を観察して生菌数を測定した。
【００５６】
＜ホースに付着した皮脂質分の測定＞
溶媒抽出により抽出物を定法によりガスクロマトグラフィーで３回測定を行い、その測定値の平均値を用いた。
【００５７】
＜風呂水中の殺菌剤の濃度の測定＞
定法により風呂水を１／１００に濃縮し、液体クロマトグラフィーで５回の測定を行い、その測定値の平均値から算出した。
【００５８】
〔実施例２〕
抗菌性脱臭剤として以下のものを以下に示す重量で用いた。
・ヤシ殻銀添着活性炭〔粒径１．７〜０．５ｍｍ：ＣＷ１３０ＡＧ、二村化学工業（株）社製〕１５ｇ
【００５９】
殺菌剤として以下のものを以下に示す重量で用いた。
・過炭酸ソーダ（湿式成形体を乾燥して直径４５ｍｍの円柱形の錠剤に成形し前記不織布にて袋入り）２０ｇ
【００６０】
分散剤及びキレート剤としては、以下の三者を以下に示す重量で均一に混ぜ、０．５ｔ／ｃｍ2のプレス圧で成形して、直径４５ｍｍの円柱形の錠剤となし、これを前記不織布にて袋入りにしたものを用いた。
・ポリエチレングリコール（平均分子量７５００、和光純薬工業社製）５ｇ
・クエン酸３ｇ
・ポリオキシエチレンモノステアレート（錠剤化のための固め剤として使用：エマノーン３１９９、花王（株）製）２ｇ
【００６１】
各剤のカートリッジへの充填に際しては、脱臭剤を浄化装置の風呂水の吸い込み口側に配し、給水ホース側に分散剤及びキレート剤を配し、両者間に殺菌剤を配した。それぞれの剤の間には前記不織布の濾材を介在させ、各剤を隔離した。これ以外は実施例１と同様にして浄化装置を得た。得られた浄化装置について実施例１と同様の操作を行った後、風呂水中の殺菌剤の濃度の測定以外は、実施例１と同様の測定・評価を行った。風呂水中の殺菌剤の濃度の測定法は以下の通りである。更に風呂水中の分散剤及びキレート剤の濃度を以下の方法で測定した。結果を表１に示す。
【００６２】
＜風呂水中の殺菌剤の濃度の測定＞
実施例２及び比較例１の風呂水をそれぞれ所定量蒸発乾固させ、原子吸光光度計によりナトリウム量をそれぞれ３回測定し、実施例２の値から比較例１の値を差し引いた値（ナトリウム量）を、過炭酸ソーダの量に変換して算出した。
【００６３】
＜分散剤及びキレート剤の濃度の測定＞
定法により風呂水を１／１００に濃縮し、液体クロマトグラフィーで５回の測定を行い、分散剤及びキレート剤のそれぞれの測定値を合算し、その平均値から算出した。
【００６４】
〔実施例３〕
実施例１で用いた脱臭剤及び殺菌剤と同様のものを用い、これらを実施例１で用いたカートリッジと同様のカートリッジに充填し、該カートリッジを図３に示す浄化装置内に配した。得られた浄化装置について実施例１と同様の操作を行った後、実施例１と同様の測定及び評価を行った。結果を表１に示す。
【００６５】
【表１】
0004530518.tif 000002
【００６６】
表１に示す結果から明らかなように、実施例１〜３の浄化装置（本発明品）を用いた場合には、比較例の浄化装置を用いた場合に比べて臭い、生菌数、皮脂質分が改善されることが確認された。更に、繰り返し使用してもこの効果が持続的に得られることが確認された。特に、一端が洗濯機に取り付けられた給水ホースにおける、他端に浄化装置１が取り付けられている場合（実施例１）には、ホース内の汚れが抑えられることが確認された。更に、分散剤及びキレート剤を併用した場合（実施例２）にも、ホース内の汚れが抑えられることが確認された。
【００６７】
〔実施例４及び比較例３〕
脱臭剤として以下のものを以下に示す重量で用いた。
・活性炭〔粒度１．７〜０．５ｍｍ：ツルミコールＧＬ−３０、ツルミコール（株）社製〕１５ｇ
【００６８】
抗菌剤として以下のものを以下に示す重量で用いた。
・塩化ベンザルコニウム〔サニゾールＣ、花王（株）製〕１５ｇ
【００６９】
分散剤及びキレート剤として以下のものを以下に示す重量で用いた。
・アクリル酸マレイン酸コポリマー（ソカランＣＰ５パウダー：平均分子量７００００、ＢＡＳＦ社製）１０ｇ
・クエン酸５ｇ
・ポリオキシエチレンモノステアレート〔錠剤化のための固め剤として使用：エマノーン３１９９、花王（株）製〕５ｇ
【００７０】
殺菌剤、分散剤、キレート剤及び固め剤を均一に混ぜ、０．５ｔ／ｃｍ2のプレス圧で成形して、直径４５ｍｍの円柱形の錠剤となし、これを前記不織布にて袋入りにした。これらの剤をカートリッジに充填し、カートリッジを図４に示す浄化装置に装填した。カートリッジの充填スペースは内径６ｃｍ、長さ８ｃｍであった。カートリッジへの充填に際しては、脱臭剤を浄化装置の底側に配すると共に、殺菌剤、分散剤、キレート剤及び固め剤からなる成形物を天面側に配し、両者間に前記不織布の濾材を介在させ、両者を隔離した。浄化装置の天面部及び側面部には、風呂水が通過するための通水孔（直径５ｍｍ）が均等に６０個設けられていた。更に、浄化装置の底面部に１００ｇの鉄片を配し、浄化装置が浮き上がらないようにした。
【００７１】
このようにして得られた浄化装置を、実施例１と同様の方法で調製した風呂水２００リットルが貯えられた浴槽の底に１０時間放置した。同様の操作を、操作毎に実施例１と同様の方法で調製した新たな風呂水２００リットルを用いて５回繰り返した。前記操作を１回行った後の風呂水、及び５回行った後の風呂水それぞれを、比較例１と同様の浄化装置及び給水ホース（内径１６ｍｍ×長さ５ｍ、塩化ビニル製）の取り付けられた吸引ポンプで吸い上げた。吸い上げられた風呂水について、実施例２と同様の測定・評価を行った。比較例として、浴槽に浄化装置を入れないで同様の操作を行った後に同様の測定をした（比較例３）。結果を表２に示す。
【００７２】
【表２】
0004530518.tif 000003
【００７３】
表２に示すように、実施例４の浄化装置（本発明品）を用いた場合には、比較例３に比べて、臭い、菌数、付着皮脂量等が改善されることが確認された。分散剤及びキレート剤の添加による給水ホース内の汚れの改善が更に向上することが確認された。さらに、繰り返し使用してもこの効果が持続的に得られることが確認された。
【００７４】
【発明の効果】
本発明の風呂水浄化装置によれば、風呂水が殺菌及び脱臭され、清潔な状態で洗濯を行うことができる。
また本発明の風呂水浄化装置によれば、汚れ成分の給水ホースへの付着が防止され、雑菌及び悪臭の発生が防止される。特に分散剤及び／又はキレート剤を併用すると、この効果が一層顕著なものとなる。
【図面の簡単な説明】
【図１】本発明の風呂水浄化装置の第１実施形態を示す概略断面図である。
【図２】同実施形態の風呂水浄化装置の使用形態を示す概略斜視図である。
【図３】本発明の風呂水浄化装置の第２実施形態を示す概略断面図である。
【図４】本発明の風呂水浄化装置の第３実施形態を示す概略断面図である。
【符号の説明】
１，１'，１"  風呂水浄化装置
３，３'  通水路
５  カートリッジ
８  洗濯機
【図１】
0004530518.tif 000004
【図２】
0004530518.tif 000005
【図３】
0004530518.tif 000006
【図４】
0004530518.tif 000007